(57)【要約】【課題】広帯域に位相差が異なる信号を生成する移相器を得る。【解決手段】移相器は、入力される位相が１８０度異なる２個の信号から上記２個の信号と位相の異なる複数の信号を生成する移相器において、上記２個の信号から位相がそれぞれ９０度異なる４個の信号を生成する９０度移相器と、上記位相がそれぞれ９０度異なる４個の信号を位相を変えずに増幅する差動増幅器および上記４個の信号と位相がそれぞれ４５度異なる４個の信号を生成する位相差４５度を得る差動増幅器を有し、位相差４５度の８個の信号を生成する位相差４５度を生成する移相器と、を備える。【選択図】図１
2010268214.tif 000002
【特許請求の範囲】
【請求項１】
入力される位相が１８０度異なる２個の信号から上記２個の信号と位相の異なる複数の信号を生成する移相器において、
上記２個の信号から位相がそれぞれ９０度異なる４個の信号を生成する９０度移相器と、
上記位相がそれぞれ９０度異なる４個の信号を位相を変えずに増幅する差動増幅器および上記４個の信号と位相がそれぞれ４５度異なる４個の信号を生成する位相差４５度を得る差動増幅器を有し、位相差４５度の８個の信号を生成する位相差４５度を生成する移相器と、
を備えることを特徴とする移相器。
【請求項２】
上記位相差４５度の８個の信号のうちの２個の信号が入力され、上記入力された信号と位相が２２．５度異なる信号を得る差動増幅器を有し、且つ位相差２２．５度の１６個の信号を生成する位相差２２．５度を生成する移相器を備えることを特徴とする請求項１に記載の移相器。
【請求項３】
入力される位相が１８０度異なる２個の信号から上記２個の信号と位相の異なる複数の信号を生成する移相器において、
ｎ（ｎは１以上の整数）段構成であり、
１段からｎ段の各段ではそれぞれ位相差３６０／４／２n-1度の２n-1×４個の信号を２n-1×２個の位相を変えずに増幅する差動増幅器と２n-1×２個の位相差３６０／４／２n度を得る差動増幅器を備え、位相差３６０／４／２n度の２n-1×８個の信号を生成する移相器を備えることを特徴とする移相器。
【請求項４】
上記位相差４５度の信号を生成する差動増幅器と上記位相を変えずに増幅する差動増幅器の負荷抵抗値の比を１対２の平方根としたことを特徴とする請求項１乃至３のいずれかに記載の移相器。
【請求項５】
上記位相差４５度の信号を生成する差動増幅器と上記位相を変えずに増幅する差動増幅器の電流の比を１対２の平方根としたことを特徴とする請求項１乃至３のいずれかに記載の移相器。
【請求項６】
最終段にリミッタ増幅器を接続したことを特徴とする請求項１乃至５のいずれかに記載の移相器。
【発明の詳細な説明】
【技術分野】
【０００１】
この発明は、移相器に関し、特に９０度以下の位相差の信号を得るための移相器に関する。
【背景技術】
【０００２】
従来、例えば４５度位相差の信号を得るためのポリフェーズフィルタを用いた移相器は、従属接続される第１のポリフェーズフィルタ、第２のポリフェーズフィルタおよび第３のポリフェーズフィルタを有し、第１のポリフェーズフィルタの２つの端子から差動信号の正相信号を、第１のポリフェーズフィルタの２つの端子から差動信号の逆相信号を入力し、第３のポリフェーズフィルタの出力端子から出力する。
【０００３】
第１のポリフェーズフィルタは４個の抵抗と４個のキャパシタが交互に環状に接続され、第２のポリフェーズフィルタは８個の抵抗と８個のキャパシタが交互に環状に接続され、第３のポリフェーズフィルタは８個の抵抗と８個のキャパシタが交互に環状に接続されている。
そして、第１のポリフェーズフィルタの２つの入力端子から差動信号の正相信号を、第１のポリフェーズフィルタの２つの入力端子から差動信号の逆相信号を入力すると、第１のポリフェーズフィルタが相互に９０度の位相差を有する等振幅な４つの高周波信号を第２のポリフェーズフィルタに出力する。
【０００４】
第２のポリフェーズフィルタは、第１のポリフェーズフィルタから相互に９０度の位相差を有する等振幅な４つの高周波信号を受けると、第２のポリフェーズフィルタと第３のポリフェーズフィルタを介して、相互に４５度の位相差を有する８つの高周波信号を第３のポリフェーズフィルタの８つの出力端子から出力する。即ち、位相が０度、４５度、９０度、１３５度、１８０度、２２５度、２７０度、３１５度の信号を出力する。
ポリフェーズフィルタ回路から８つの信号が出力されるが、８つの信号が相互に４５度の位相差を有し、かつ、等振幅な信号であるためには、第１から第３のポリフェーズフィルタを構成している抵抗値と容量値を適切に調整する必要がある（例えば、特許文献１参照）。
【先行技術文献】
【特許文献】
【０００５】
【特許文献１】特開２００７−３１２３１５号公報
【発明の概要】
【発明が解決しようとする課題】
【０００６】
従来の４５度移相器は、ポリフェーズフィルタを用いて以上のように構成されているため、４５度の位相差が得られる周波数は、ポリフェーズフィルタを構成する抵抗値と容量値で決まる周波数であり、広帯域化には限界があった。
また、複数の抵抗素子、容量素子を用いるため半導体基板上に形成した場合に面積が大きくなるという問題があった。
【０００７】
この発明は、前記のような課題を解決するためになされたものであり、広帯域に位相差が異なる信号を生成する移相器を得ることを目的とする。
【課題を解決するための手段】
【０００８】
この発明に係る移相器は、入力される位相が１８０度異なる２個の信号から上記２個の信号と位相の異なる複数の信号を生成する移相器において、上記２個の信号から位相がそれぞれ９０度異なる４個の信号を生成する９０度移相器と、上記位相がそれぞれ９０度異なる４個の信号を位相を変えずに増幅する差動増幅器および上記４個の信号と位相がそれぞれ４５度異なる４個の信号を生成する位相差４５度を得る差動増幅器を有し、位相差４５度の８個の信号を生成する位相差４５度を生成する移相器と、を備える。
【発明の効果】
【０００９】
この発明に係る移相器は、位相差４５度、２２．５度、３６０／４／２n度（ｎは１以上の整数）の信号を得る差動増幅器が、抵抗を負荷とするため、広帯域に位相差４５度、２２．５度、３６０／４／２n度の信号を得ることができる。
【図面の簡単な説明】
【００１０】
【図１】この発明の実施の形態１に係る移相器の構成を示す図である。
【図２】この発明の実施の形態１に係る位相差４５度の信号を得る差動増幅器の構成を示す図である。
【図３】この発明の実施の形態２に係る移相器の構成を示す図である。
【図４】この発明の実施の形態３に係る移相器の構成を示す図である。
【図５】この発明の実施の形態４に係る移相器の構成を示す図である。
【図６】この発明の実施の形態５に係る移相器の構成を示す図である。
【図７】この発明の実施の形態６に係る差動増幅器の構成を示す図である。
【図８】この発明の実施の形態６に係る別の差動増幅器の構成を示す図である。
【図９】この発明の実施の形態７に係る差動増幅器の構成を示す図である。
【図１０】この発明の実施の形態７に係る別の差動増幅器の構成を示す図である。
【図１１】この発明の実施の形態８に係る移相器の構成を示す図である
【発明を実施するための形態】
【００１１】
以下、この発明の移相器の好適な実施の形態につき図面を用いて説明する。
実施の形態１．
図１は、この発明の実施の形態１に係る移相器の構成を示す図である。
この発明の実施の形態１に係る移相器は、図１に示すように、９０度移相器１および位相差４５度を生成する移相器２を有する。
９０度移相器１は、２個の入力端子２１、２２および４個の出力端子２３、２４、２５、２６を有する。
なお、９０度移相器１は、例えば、ポリフェーズフィルタ、分周器で構成する。分周器を用いることで広帯域な９０度位相差の信号を得ることができる。
【００１２】
位相差４５度を生成する移相器２は、２個の差動増幅器３ａ、３ｂおよび２個の位相差４５度の信号を得る差動増幅器４ａ、４ｂを有する。
位相差４５度を生成する移相器２は、４個の入力端子２７、２８、２９、３０および８個の出力端子３１〜３８を有する。
９０度移相器１の出力端子２３、２４、２５、２６は、それぞれ位相差４５度を生成する移相器２の入力端子２７、２８、２９、３０に接続される。
【００１３】
入力端子２１、２２には、それぞれ位相０度の信号と位相１８０度の信号が入力される。すると、出力端子２３からは入力端子２１に入力された信号と同位相の信号が出力される。また、出力端子２４からは出力端子２３から出力される信号と位相差が９０度を有する信号が出力される。また、出力端子２５からは出力端子２４から出力される信号と位相差が９０度を有する信号が出力される。また、出力端子２６からは出力端子２５から出力される信号と位相差が９０度を有する信号が出力される。
【００１４】
図２は、この発明の実施の形態１に係る位相差４５度の信号を得る差動増幅器４ａの構成を示す図である。
位相差４５度の信号を得る差動増幅器４ａは、図２（ａ）に示すように、位相差９０度の信号を合成して位相差４５度の信号を生成する２つのトランジスタペア５ａ、５ｂ、定電流源回路６、負荷抵抗７を有する。トランジスタペア５ａ、５ｂは、差動化され、差動信号出力を得る回路である。そして、トランジスタペア５ａ、５ｂは、それぞれ２個のトランジスタから構成され、２個のトランジスタのエミッタ同士、コレクタ同士が接続される。
一方のトランジスタペア５ａの一方のトランジスタのゲートａに位相０度の信号、他方のトランジスタのゲートｂに位相９０度の信号が入力されると、出力端子ｅに位相４５度の信号が出力する。
他方のトランジスタペア５ｂの一方のトランジスタのゲートｃに位相１８０度の信号、他方のトランジスタのゲートｄに位相２７０度の信号が入力されると、出力端子ｆに位相２２５度の信号が出力する。
【００１５】
位相差４５度の信号を得る差動増幅器４ｂは、図示しないが、位相差４５度の信号を得る差動増幅器４ａと同様に、位相差４５度の信号を生成する２個のトランジスタペア、定電流源回路、負荷抵抗を有する。
一方のトランジスタペアの一方のトランジスタのゲートに位相９０度の信号、他方のトランジスタのゲートに位相１８０度の信号が入力されると、出力端子に位相１３５度の信号が出力する。
他方のトランジスタペアの一方のトランジスタのゲートに位相２７０度の信号、他方のトランジスタのゲートに位相０度の信号が入力されると、出力端子に位相３１５度の信号が出力する。
【００１６】
トランジスタペア５ａは、図２（ｂ）に示すように、位相０度の信号９と、位相９０度の信号８を合成することで、位相４５度の信号１０を得ることができる。位相差４５度の信号１０の電圧振幅は位相０度の信号９または位相９０度の信号８の電圧振幅の２の平方根倍である。
【００１７】
差動増幅器３ａには、９０度移相器１の出力端子２３から出力される位相０度の信号と９０度移相器１の出力端子２５から出力される位相１８０度の信号が入力され、出力端子３１と出力端子３２からそれぞれ位相０度の信号と位相１８０度の信号が出力される。
差動増幅器３ｂには、９０度移相器１の出力端子２４から出力される位相９０度の信号と９０度移相器１の出力端子２６から出力される位相２７０度の信号が入力され、出力端子３５と出力端子３６からそれぞれ位相９０度の信号と位相２７０度の信号が出力される。
【００１８】
位相差４５度の信号を得る差動増幅器４ａには、９０度移相器１の出力端子２３、２４、２５、２６から出力される位相０度、位相９０度、位相１８０度、位相２７０度の信号が入力され、出力端子３３と出力端子３４からそれぞれ位相４５度の信号と位相２２５度の信号が出力される。
位相差４５度の信号を得る差動増幅器４ｂには、９０度移相器１の出力端子２３、２４、２５、２６から出力される位相０度、位相９０度、位相１８０度、位相２７０度の信号が入力され、出力端子３７と出力端子３８からそれぞれ位相１３５度の信号と位相３１５度の信号が出力される。
【００１９】
このように位相差４５度の信号を得る差動増幅器４ａ、４ｂは、抵抗を負荷とするため広帯域に位相差４５度の信号を得ることができる。
【００２０】
実施の形態２．
図３は、この発明の実施の形態２に係る移相器の構成を示す図である。
この発明の実施の形態２に係る移相器は、偶高調波形直交ミクサ、または偶高調波形イメージリジェクションミクサのＬＯ信号源として位相差４５度の差動信号を出力する。そして、この発明の実施の形態２に係る移相器は、上述の実施の形態１に係る移相器から位相差４５度の差動信号だけを出力するように、それ以外の出力に関係する差動増幅器３ａ、位相差４５度の信号を得る差動増幅器４ｂを削除していることが異なり、それ以外は同様であるので、同様な部分に同じ符号を付記し説明は省略する。
【００２１】
偶高調波形直交ミクサ、または偶高調波形イメージリジェクションミクサのＬＯ信号としては、ＲＦ信号の１／２の周波数で、位相差４５度の差動信号が必要である。そこで、ＬＯ信号源だけを取り出すためには、図３に示すように、差動増幅器３ｂと位相差４５度の信号を得る差動増幅器４ａだけで良い。
このように差動増幅器３ａおよび位相差４５度の信号を得る差動増幅器４ｂを削除することで消費電流を低減することができる。
【００２２】
実施の形態３．
図４は、この発明の実施の形態３に係る移相器の構成を示す図である。
この発明の実施の形態３に係る移相器は、上述の実施の形態２に係る移相器と同様に、位相差４５度の信号を偶高調波形直交ミクサ、または偶高調波形イメージリジェクションミクサのＬＯ信号源として位相差４５度の差動信号を出力する場合である。そして、この発明の実施の形態３に係る移相器は、上述の実施の形態２に係る移相器に差動増幅器３ａを追加したことが異なり、それ以外は同様であるので、同様な部分に同じ符号を付記し説明は省略する。
【００２３】
差動増幅器３ａを追加することにより、９０度移相器１の４つの出力端子２３〜２６から見た負荷インピーダンスを一定とすることができる。９０度移相器１の負荷インピーダンスを一定とすることで、高精度な位相差９０度の信号を得ることができるので、位相差４５度の信号の位相、振幅精度を改善することができる。
【００２４】
実施の形態４．
図５は、この発明の実施の形態４に係る移相器の構成を示す図である。
この発明の実施の形態４に係る移相器は、互いに位相差４５度を有する８個の信号から互いに位相差２２．５度を有する１６個の信号を出力する。そして、この発明の実施の形態４に係る移相器は、この発明の実施の形態１に係る移相器に位相差２２．５度を生成する移相器８を追加したことが異なり、それ以外は同様であるので、同様な部分に同じ符号を付記し説明は省略する。
【００２５】
位相差２２．５度を生成する移相器８は、４個の差動増幅器３ｃ〜３ｆと４個の位相差２２．５度の信号を得る差動増幅器１１ａ〜１１ｄを有する。
位相差２２．５度を生成する移相器８は、８個の入力端子４１〜４８と１６個の出力端子５１〜６６を有する。そして、８個の入力端子４１〜４８には、それぞれ位相差４５度を生成する移相器２の８個の出力端子３１〜３８が接続される。
【００２６】
差動増幅器３ｃ、３ｄ、３ｅ、３ｆには、それぞれ位相０度と位相１８０度、位相４５度と位相２２５度、位相９０度と位相２７０度、位相１３５度と位相３１５度の信号が入力され、増幅されて出力される。
【００２７】
位相差２２．５度の信号を得る差動増幅器１１ａは、図２（ａ）と同様な構成であり、ゲートａに位相０度、ゲートｂに位相４５度、ゲートｃに位相１８０度、ゲートｄに位相２２５度の信号が入力されると出力端子ｅと出力端子ｆから位相２２．５度と位相２０２．５度の信号が出力する。
【００２８】
位相差２２．５度の信号を得る差動増幅器１１ｂは、図２（ａ）と同様な構成であり、ゲートａに位相４５度、ゲートｂに位相９０度、ゲートｃに位相２２５度、ゲートｄに位相２７０度の信号が入力されると出力端子ｅと出力端子ｆから位相６７．５度と位相２４７．５度の信号が出力する。
【００２９】
位相差２２．５度の信号を得る差動増幅器１１ｃは、図２（ａ）と同様な構成であり、ゲートａに位相９０度、ゲートｂに位相１３５度、ゲートｃに位相２７０度、ゲートｄに位相３１５度の信号が入力されると出力端子ｅと出力端子ｆから位相１１２．５度と位相２９２．５度の信号が出力する。
【００３０】
位相差２２．５度の信号を得る差動増幅器１１ｄは、図２（ａ）と同様な構成であり、ゲートａに位相１３５度、ゲートｂに位相１８０度、ゲートｃに位相３１５度、ゲートｄに位相０度の信号が入力されると出力端子ｅと出力端子ｆから位相１５７．５度と位相３３７．５度の信号が出力する。
【００３１】
このように位相差２２．５度の信号を得る差動増幅器１１ａ〜１１ｄは、抵抗を負荷とするため広帯域に１６個の位相差２２．５度の信号を得ることができる。
【００３２】
実施の形態５．
図６は、この発明の実施の形態５に係る移相器の構成を示す図である。
この発明の実施の形態５に係る移相器は、この発明の実施の形態１、４に係る移相器を一般化したもので、ｎ段構成であり、１段目の位相差（３６０／４／２1＝４５）度を生成する移相器２、２段目の位相差（３６０／４／２2＝２２．５）度を生成する移相器８、３段目の位相差（３６０／４／２3＝１１．２５）度を生成する移相器９、４段目の位相差（３６０／４／２4＝５．６２５）度を生成する移相器１０を有する。そして、さらに多段化することにより、位相差（３６０／４／２n）度の信号を（２n-1×８）個生成する移相器を提供できる。
【００３３】
この発明の実施の形態１に係る移相器はｎ＝１段構成であり、９０度移相器１の位相差３６０／４／２n-1（＝９０）度の２n-1×４（＝４）個の信号を２n-1×２（＝２）個の差動増幅器３と２n-1×２（＝２）個の位相差３６０／４／２n（＝４５）度の信号を得る差動増幅器４に入力して２n-1×８（＝８）個の位相差３６０／４／２n（＝４５）度の信号を生成する。
この発明の実施の形態４に係る移相器はｎ＝２段構成であり、２段目では上述の１段目の８個の位相差４５度の信号を２n-1×２（＝４）個の差動増幅器３と２n-1×２（＝４）個の位相差３６０／４／２n（＝２２．５）度の信号を得る差動増幅器１１に入力して２n-1×８（＝１６）個の位相差３６０／４／２n（＝２２．５）度の信号を生成する２段目から構成されている。
【００３４】
次に、ｎ＝３段構成を考案すると、上述の２段目で生成される１６個の位相差２２．５度の信号を２n-1×２（＝８）個の差動増幅器３と２n-1×２（＝８）個の位相差３６０／４／２n（＝１１．２５）度の信号を得る差動増幅器１２に入力して２n-1×８（＝３２）個の位相差３６０／４／２n（＝１１．２５）度の信号を生成する。
【００３５】
次に、ｎ＝４段構成を考案すると、上述の３段目で生成される３２個の位相差１１．２５度の信号を２n-1×２（＝１６）個の差動増幅器３と２n-1×２（＝１６）個の位相差３６０／４／２n（＝５．６２５）度の信号を得る差動増幅器１３に入力して２n-1×８（＝６４）個の位相差３６０／４／２n（＝５．６２５）度の信号を生成する。
【００３６】
このように段数を増加することにより、より小さい位相差の信号を生成でき、そのときでも位相差３６０／４／２n度の信号を得る差動増幅器では負荷が抵抗であるので広帯域の移相器を提供することができる。
【００３７】
実施の形態６．
図７は、この発明の実施の形態６に係る差動増幅器３Ｂの構成を示す図である。図８は、この発明の実施の形態６に係る別の差動増幅器３Ｃの構成を示す図である。
この発明の実施の形態６に係る差動増幅器３Ｂは、図７に示すように、２つのトランジスタペア１５ａ、１５ｂ、定電流源回路６、負荷抵抗７Ｂを有する。そして、トランジスタペア１５ａ、１５ｂは、それぞれ２個のトランジスタから構成され、２個のトランジスタのゲート同士、エミッタ同士、コレクタ同士が接続される。
一方のトランジスタペア１５ａのゲートａ、ｂに位相０度の信号が入力されると、出力端子ｅに位相０度の信号が出力する。他方のトランジスタペア１５ｂのゲートｃ、ｄに位相１８０度の信号が入力されると、出力端子ｆに位相１８０度の信号が出力する。
【００３８】
定電流源回路６から電流値Ｉの定電流が流される。差動増幅器３Ｂの負荷抵抗７Ｂの抵抗値は、位相差４５度の信号を得る差動増幅器４の負荷抵抗７の抵抗値の２の平方根倍である。
ところで、上述の実施の形態１で説明したように、位相差４５度の信号を得る差動増幅器４の出力電圧振幅は差動増幅器３の出力である位相０度、９０度の電圧振幅の２の平方根倍である。
そこで、差動増幅器３Ｂの負荷抵抗７Ｂの抵抗値を、位相差４５度の信号を得る差動増幅器４の負荷抵抗７の抵抗値の２の平方根倍とすることで、位相差４５度を生成する移相器２の８個の出力電圧を等振幅とすることができるので、位相差４５度の出力振幅の振幅誤差を低減することができる。
【００３９】
また、３６０／４／２n度移相器を構成する位相差３６０／４／２n度の信号を得る差動増幅器の出力電圧振幅は、差動増幅器３の出力である位相０度、９０度の電圧振幅の式（１）で求められるＡ倍の電圧振幅が得られる。
【００４０】
【数１】
2010268214.tif 000003
【００４１】
そして、３６０／４／２n度移相器に用いる差動増幅器３Ｃの負荷抵抗７Ｃの抵抗値を、図８に示すように、位相差３６０／４／２n度の信号を得る差動増幅器の負荷抵抗７の抵抗値のＡ倍とすることで、３６０／４／２n度移相器の（２n-1×８）個の出力電圧を等振幅とすることができるので、位相差３６０／４／２n度の出力振幅の振幅誤差を低減することができる。
【００４２】
実施の形態７．
図９は、この発明の実施の形態７に係る差動増幅器３Ｄの構成を示す図である。図１０は、この発明の実施の形態７に係る別の差動増幅器３Ｅの構成を示す図である。
この発明の実施の形態７に係る差動増幅器３Ｄは、図９に示すように、２つのトランジスタペア１５ａ、１５ｂ、定電流源回路６Ｂ、負荷抵抗７を有する。そして、トランジスタペア１５ａ、１５ｂは、それぞれ２個のトランジスタから構成され、２個のトランジスタのゲート同士、エミッタ同士、コレクタ同士が接続される。
一方のトランジスタペア１５ａのゲートａ、ｂに位相０度の信号が入力されると、出力端子ｅに位相０度の信号が出力する。他方のトランジスタペア１５ｂのゲートｃ、ｄに位相１８０度の信号が入力されると、出力端子ｆに位相１８０度の信号が出力する。
【００４３】
定電流源回路６Ｂから位相差４５度の信号を得る差動増幅器４の電流値Ｉの２の平方根倍の定電流が流される。
ところで、上述の実施の形態１で説明したように、位相差４５度の信号を得る差動増幅器４の出力電圧振幅は差動増幅器３の出力である位相０度、９０度の電圧振幅の２の平方根倍である。
そこで、差動増幅器３Ｄの負荷抵抗７に流す定電流を、位相差４５度の信号を得る差動増幅器４の負荷抵抗７に流す定電流の電流値の２の平方根倍とすることで、位相差４５度を生成する移相器２の８個の出力電圧を等振幅とすることができるので、位相差４５度の出力振幅の振幅誤差を低減することができる。
【００４４】
また、３６０／４／２n度移相器を構成する位相差３６０／４／２n度の信号を得る差動増幅器の出力電圧振幅は差動増幅器３の出力である位相０度、９０度の電圧振幅のＡ倍の電圧振幅が得られる。
そこで、３６０／４／２n度移相器に用いる差動増幅器３Ｅの負荷抵抗７に流れる電流値を、図１０に示すように、位相差３６０／４／２n度の信号を得る差動増幅器の負荷抵抗に流れる電流の電流値のＡ倍とすることで、３６０／４／２n度移相器の（２n-1×８）個の出力電圧を等振幅とすることができるので、位相差３６０／４／２n度の出力振幅の振幅誤差を低減することができる。
【００４５】
実施の形態８．
図１１は、この発明の実施の形態８に係る移相器の構成を示す図である。
この発明の実施の形態８に係る移相器は、この発明の実施の形態１に係る移相器にリミッタ増幅器１８を追加したことが異なり、それ以外は同様であるので、同様な部分に同じ符号を付記し説明は省略する。
リミッタ増幅器１８には、４５度移相器２から位相差４５度の信号が入力されリミッタ増幅器１８で出力端子７１〜７８からの出力電圧を一定にする。
このように出力電圧を等振幅とすることができるので、移相器の出力振幅の振幅誤差を低減することができる。
【符号の説明】
【００４６】
１  ９０度移相器、２  位相差４５度を生成する移相器、３ａ〜３ｆ、３Ｂ、３Ｃ、３Ｄ、３Ｅ  差動増幅器、４ａ、４ｂ  位相差４５度の信号を得る差動増幅器、５ａ、５ｂ、１５ａ、１５ｂ  トランジスタペア、６、６Ｂ、６Ｃ  定電流源回路、７、７Ｂ、７Ｃ  負荷抵抗、８  位相差２２．５度を生成する移相器、９  位相差１１．２５度を生成する移相器、１０  位相差５．６２５度を生成する移相器、１１ａ〜１１ｄ  位相差２２．５度の信号を得る差動増幅器、１２  位相差１１．２５度の信号を得る差動増幅器、１３  位相差５．６２５度の信号を得る差動増幅器、１８  リミッタ増幅器、２１、２２  （９０度移相器の）入力端子、２３〜２６  （９０度移相器の）出力端子、２７〜３０  （位相差４５度を生成する移相器）入力端子、３１〜３８  （位相差４５度を生成する移相器の）出力端子、４１〜４８  （位相差２２．５度を生成する移相器の）入力端子、５１〜６６  （位相差２２．５度を生成する移相器の）出力端子、７１〜７８  （リミッタ増幅器の）出力端子。
【図１】
2010268214.tif 000004
【図２】
2010268214.tif 000005
【図３】
2010268214.tif 000006
【図４】
2010268214.tif 000007
【図５】
2010268214.tif 000008
【図６】
2010268214.tif 000009
【図７】
2010268214.tif 000010
【図８】
2010268214.tif 000011
【図９】
2010268214.tif 000012
【図１０】
2010268214.tif 000013
【図１１】
2010268214.tif 000014